(57)【特許請求の範囲】
【請求項１】
支持部（1'）と、少なくとも一つのマッサージ突起（2'）を有する運動プレート（5'）と、ユーザの骨盤と胸部の骨部のために周辺部における支持部材とを持つ腹部マッサージ装置であって、前記支持部（1'）の基礎に対し傾斜した上位面（21）を有する中間プレート（20）を持ち、前記運動プレート（5'）は前記中間プレート（20）の上位面（21）に対し直角の回転軸を持ちこの軸周りを自由に回転しており、それによって中間プレート（20）の回転が運動プレート（5'）に揺動運動を生じさせ、この揺動運動が前記マッサージ突起（2'）の並進運動に変換されることを特徴とする腹部マッサージ装置。
【請求項２】
前記中間プレート（20）の上位面（21）と運動プレート（5'）の間に中間摺動プレート（24）を更に有し、この中間摺動プレート（24）が自由に回転することを特徴とする請求の範囲第１項記載の腹部マッサージ装置。
【請求項３】
前記中間プレート（20）が転動・摺動手段によって前記支持部（1'）上に寄り掛かっていることを特徴とする請求の範囲第１項又は第２項記載の腹部マッサージ装置。
【発明の詳細な説明】
本発明は、腹部マッサージおよび／または刺激装置に関するもので、より詳しくは、腸および胆管の排出作用の促進に関するものである。
人体をマッサージする従来の装置の中で、文書FR−Ａ−2606632に記述されたものが特に知られている。この装置は、球形包絡面状の突起部を複数個備えた平坦な支持板から成るマッサージヘッドを有し、支持板の中央面に垂直な軸の周りの周期的な軌道運動に追随して動くように調整されている。
突起または肉盛り部を有するこのような装置は、沈着脂肪を取り除いたり、筋肉緩和マッサージを施したたり、軟膏を塗布したりするために特に用いられている。
しかし、例えば消化不良によって起こる便秘等の症状を改善するための消化大型丸剤の進歩のような、消化機能を助けるためのマッサージ装置は知られていない。また、胆管の機能不全を改善して胆汁の分泌を促進させるようなマッサージ装置も知られていない。
したがって、本発明の目的の一つは、前記機能を実現するための腹部マッサージおよび／または刺激を行う装置を提供することにある。
上記および後に明らかになる他の目的を達成するために、本発明による腹部マッサージおよび／または刺激装置は、モータによって駆動されて回転および／または比較的ゆっくりとした直線運動を行い、前記モータと、患者の骨盤や肋骨等の骨部を支えるための幾つかの支柱が設けられた支持部の頂部に配置された複数のマッサージ突起を有していることを特徴としている。
第一の実施例によると、各マッサージ突起は、自転するように駆動されて、この自転は回転軸に対して鋭角を形成する他の軸の周りの回転に最終的に結合される。
第二の実施例によると、マッサージ突起は、モータによって回転駆動される回転プレート上に配置されている。この回転プレートは、その回転軸と角度を成す軸の周りを非平面的に回転するように駆動されても良い。
前記支持部は平行六面体形状に形成されて、マッサージ突起が設けられている前部の周囲および上方前部は、マッサージ突起が腹壁に十分深く入り込んで中空の臓器に作用する一方、患者の骨髄や肋骨等の骨部が支持部に接触するように構成されているのが好ましい。
他の支持部に関しては平坦であっても良く、また、マッサージ突起は突き出るように配置されている。支持部は腹部筋肉を柔らげるために凸状に形成されているのが好ましく、マッサージ突起は前記凸部の頂部に形成されている。
マッサージ突起がモータによって回転する回転プレートの上に配置されている場合、前記回転プレートの下面には、転動または摺動する装置または面が支持部上に配された同様の面の上に設けられているのが良い。
この実施例の第二の例の装置には、マッサージ突起を有する第二回転プレートが上に配置された回転プレートが設けられている。
マッサージ突起は、球形、卵形、または徐々に傾斜する多少大きく長い指の形状で、互いに対して対称的または非対称的で、調整可能、交換可能に形成されており、固定されているか、または、直線、回転または揺動運動を行って交互に出入するように構成されている。これらの運動は全て、最終的に分離または結合されて機械的またはプログラム化されたものであっても良い。
モータユニットは、水平または垂直ギアによって回転プレートまたは第一回転プレートを駆動するのが好ましい。
第二実施例によると、前記モータは、第一回転プレートの下に配置された固定プレートをさらに備えて、前記固定プレートは、第一回転プレートよりも小さい径を有して同軸に形成され、第二プレートの軸を操作するための歯付き縁部を有している。
突起が腹部上を移動する場合に備えて、マッサージ突起は柔らかい保護布に覆われているのが好ましく、また、支持部上の適所に保持されているため、腹部の皮膚が引っ張られるというようなことはない。
以下の説明は本発明を限定するものではなく、添付の図面を参照して読まれるものである。
第１図は、第一実施例による腹部マッサージおよび刺激装置の側面図である。
第２図は、第１図の装置の平面図である。
第３図は、第２図の線III−IIIについての装置の略示縦断面図である。
第４図は、人体腹部上にある装置の位置を概略的に示した説明図である。
第５図は、第一実施例の変形例による装置の略示平面図である。
第６図は、第一実施例による装置の平面図である。
第７図は、第６図の線VII−VIIについての略示縦断面図である。
第８図は、本発明の装置の第三実施例の縦断面図である。
これらの図面を参照すると、腹部マッサージおよび／または刺激装置は、参照番号１が付された支持部と、前記支持部１内に配置されているモータ３によって円運動および／または直線運動を行う少なくとも一つのマッサージ突起２から構成されている。
支持部１は、様々な形状と大きさに形成することがきる。例えば、支持部１は、上にマッサージ突起が配置される高さを有した平坦なマッサージ台から構成されている。また、この台を横断線平面において凸状にする事も可能で、この凸部の頂部にマッサージ突起を配置してもよい。しかしどちらの場合にも、突起が設けられた支持部１を構成する台領域は患者の腹部６に対応して、患者の肋骨7aおよび上位前腸骨7bの骨部が、台自体に接触しなければならない。これによって、マッサージ突起２は、大腸および総胆管に特に作用するように腹部６内に十分に入り込むことができる。
しかし、支持部１は、図面で表されているように、略平行六面体状に形成することができる。この場合、マッサージ突起２が設けられた面の周辺部または上面４は、肋骨7aおよび上位前腸骨である骨部が支持部１上に寄りかかる一方、マッサージ突起２がこの面４上に突き出るように配置されているため腹壁部６内に入り込むように形成されている。
第１図乃至第３図に示されている第一実施例によると、マッサージ突起２は、回転プレート５の上に配置されている。この回転プレートの底面８には、本例では平行六面体である支持部１またはモータブロック内に配置された同様の面10上を転動もしくは摺動する転動・摺動面または装置９が設けられている。
本実施例によると、回転プレート５は垂直または水平に係合している（第３図に両方の例が示されている）電気モータ３によって回転される。第一の例では、回転プレート５の側面12に歯が付けられて、第二の例では、回転プレート５の底面８がクラウンホイールを有している。
予想できるように、回転プレート５の回転方向は、反時計方向である結腸の蠕動運動方向と反対である。
マッサージ突起は、球形、卵形、または徐々に傾斜する多少大きく長い指の形状で、互いに対して対称的または非対称的で、調整可能、交換可能に形成されており、固定されているか、または、直線、回転または揺動運動を行って交互に出入りするように構成されている。そして、これらの運動は全て、最終的に結合される。マッサージ突起２は、腹部を深くマッサージするために、十分にゆっくりとして、且つ、大きくおよび／または間隔のあいた運動を行わなければならない。
第５図に示されている第一実施例の変形例によると、マッサージ突起２自体、回転プレート５の上で回転する。これらマッサージ突起２の回転方向は、マッサージ突起２が周知の方法でその上に配置されている回転プレート５の回転方向と同じである。マッサージ突起２は非対照的な形状で、先が丸くなった頂部は２″づれている。
第６図および第７図は、本発明の腹部マッサージおよび／または刺激装置の第二実施例に関連している。第一実施例で説明した要素と同様のものについては同じ参照番号を付すものとする。
支持部１またはモータブロックは、回転プレート５と同軸で、歯付き縁部を有し、転動または摺動する面の径よりも小さい径を有する固定プレート13を有している。
この例では、回転プレート５または主要回転プレートの頂部に３個の第二プレート14が配置されて、各第二プレートは２個のマッサージ突起２を含んでいる。これら第二プレート14の回転軸は、固定プレート13の歯付き縁部上に係合している。
主回転プレート５の回転によって第二プレート14が回転するのは明らかである。これは、固定プレート13の歯付き縁部上の回転軸15が動くためである。
第８図に示されている本発明の第三実施例によると、装置には、モータ３′により回転されて傾斜した上位面21を有する中間プレート20が設けられている。
この傾斜した上位面21の上には、回転プレート５′が取り付けられている。回転プレート５′の回転軸22はこの面と直角で、中間プレート20の回転軸23から少し離間している。回転プレート５′には、マッサージ突起２′が設けられている。
中間プレート20が回転する時、回転プレート５′の回転軸22が中間プレート20の回転軸23の周りに円錐形を描く。その結果、回転プレート５′が揺動し、この運動は各突起２′の直線運動に変換される。
本実施例の他の変形例によると、回転プレート５′は、第二プレート24等の中間摺動手段によって二重に形成されている。第二プレート24は、上位傾斜面21と主回転プレート５′との間で自由に転回する。また、後者は、人がマッサージ突起２′を作動させたまま、物理的に保持したりその上に寄りかかった場合には回転を停止する。
前述したように、マッサージ突起は、次々に直線運動を行うように構成することができる。各マッサージ突起は、垂直平面内での繰り返し行われる出入り運動に応じて、圧力が解除されることによって作動する。
他の可能な実施例では、マッサージ突起は水平並進の直線運動を行うことができる。
【図１】
0003539964.tif 000002
【図２】
0003539964.tif 000003
【図３】
0003539964.tif 000004
【図４】
0003539964.tif 000005
【図５】
0003539964.tif 000006
【図６】
0003539964.tif 000007
【図７】
0003539964.tif 000008
【図８】
0003539964.tif 000009